(57)【要約】【課題】メーカー側が提供する弾球遊技機に付帯して、その弾球遊技機が持たない特定の遊技確率や全体の遊技確率を実情に即して設定する釘調整が簡単に行えるようにする。【解決手段】  遊技球の入賞系列部Ａへの初期段階、最終段階などでの入賞信号Ｓ１、Ｓ２１・・を、それら信号に関連する既設の検出具２３、２４１・・の既設電気配線からの外部センサ４１、４２・・により、それら信号Ｓ１、Ｓ２１・・に関連する機器２、５、１４、１６・・の動作の信号の外部センサ５１〜５６により、遊技球の動きの非接触センサ２０、４８、４９・・により、検出して独立の制御手段３１で用い、初期段階の入賞回数と最終段階の入賞回数とから、初期段階の入賞に対する最終段階の入賞確率などを算出し管理データとして記憶またはおよび出力することにより、上記の目的を達成する。【選択図】図１
2007151659.tif 000002
【特許請求の範囲】
【請求項１】
遊技球を貯留する貯留部、貯留部から供給される遊技球を遊技領域へ１つずつ打ち出す弾球打ち出し部、遊技遊技球の入賞に応じて遊技球を払い出す弾球払い出し部を備え、遊技領域に、遊技球を受け入れ、あるいは通過させる、普通入賞口、補助入賞口、大入賞口などの入賞口、補助入賞口や大入賞口のスタート用入賞口、補助入賞口や大入賞口内に大当たりとなるＶゾーンと大当たりにならない外れゾーンなどに振り分け設けられた振り分け部、の少なくとも３段階以上に関連し合う入賞系列部と、入賞系列部のいずれにも入賞しなかった遊技球を遊技領域外へ排出する排出口と、を設けた弾球遊技機において、
遊技球の入賞系列部への少なくとも初期段階および最終段階での入賞信号を、それら信号に関連する既設の検出具があるものについてはそれの既設電気配線からの外部センサによる検出と、それら信号に関連する既設の検出具がないものについては、それら信号に関連する機器の動作の信号の外部センサによる検出や遊技球の動きの非接触センサによる検出と、により得て、弾球遊技機から独立した制御手段により、初期段階の入賞回数と最終段階の入賞回数とから、初期段階の入賞に対する最終段階の入賞確率を算出し管理データとして記憶またはおよび出力することを特徴とする弾球遊技機の管理装置。
【請求項２】
遊技球を貯留する貯留部、貯留部から供給される遊技球を遊技領域へ１つずつ打ち出す弾球打ち出し部、遊技遊技球の入賞に応じて遊技球を払い出す弾球払い出し部を備え、遊技領域に、遊技球を受け入れ、あるいは通過させる、普通入賞口、補助入賞口、大入賞口などの入賞口、補助入賞口や大入賞口のスタート用入賞口、補助入賞口や大入賞口内に大当たりとなるＶゾーンと大当たりにならない外れゾーンなどに振り分け設けられた振り分け部、の少なくとも３段階以上に関連し合う入賞系列部と、入賞系列部のいずれにも入賞しなかった遊技球を遊技領域外へ排出する排出口と、を設けた弾球遊技機において、
遊技球毎の打ち出し信号と、遊技球の入賞系列部への少なくとも初期段階および最終段階での入賞信号とを、それら信号に関連する既設の検出具があるものについてはそれの既設電気配線からの外部センサによる検出と、それら信号に関連する既設の検出具がないものは、それら信号に関連する機器の動作の信号の外部センサによる検出や遊技球の動きの非接触センサによる検出と、により得て、弾球遊技機から独立した制御手段により、遊技球の打ち出し数と、初期段階の入賞回数および最終段階の入賞回数とから、遊技球の打ち出し数に対する初期段階の入賞またはおよび最終段階の入賞の確率、および初期段階の入賞に対する最終段階の入賞確率を算出し管理データとして記憶またはおよび出力することを特徴とする弾球遊技機の管理装置。
【請求項３】
初期段階と最終段階との間の１つまたは複数の中間段階の入賞の信号を、その信号に関連する既設の検出具がある場合はそれの既設電気配線からの外部センサによる検出、その信号に関連する既設の検出具がない場合は、その信号に関連する機器の動作の信号の外部センサによる検出や遊技球の動きの非接触センサによる検出、により得て、前記制御手段により、遊技球の打ち出し数や初期入賞に対する１つまたは複数の中間段階の入賞確率を算出し管理データとして記憶またはおよび出力する請求項２に記載の弾球遊技機の管理装置。
【請求項４】
補助入賞口や大入賞口にある振り分け部の大当たりである入賞信号に加え、外れ信号を、それらの信号に関連する既設の検出具があるものについてはそれの既設電気配線からの外部センサによる検出、それらの信号に関連する既設の検出具がないものについては、その信号に関連する機器の動作の信号の外部センサによる検出や遊技球の動きの非接触センサによる検出、により得て、前記制御手段により補助入賞口や大入賞口へ入賞した遊技球の総数に対する大当たり確率を算出し管理データとして記憶または出力する請求項３に記載の弾球遊技機の管理装置。
【請求項５】
遊技球毎の排出の信号を、その信号に関連する既設の検出具がある場合はそれの既設電気配線からの外部センサによる検出、その信号に関連する既設の検出具がない場合は、その信号に関連する遊技球の動きの非接触センサによる検出、により得て、前記制御手段により、遊技球の打ち出し数に対する排出数の割合を算出し管理データとして記憶またはおよび出力する請求項２〜４のいずれか１項に記載の弾球遊技機の管理装置。
【請求項６】
遊技球毎の払い出しの信号を、その信号に関連する既設の検出具がある場合はそれの既設電気配線からの外部センサによる検出、その信号に関連する既設の検出具がない場合は、その信号に関連する機器の動作の信号の外部センサによる検出や遊技球の動きの非接触センサによる検出、により得て、前記制御手段により、遊技球の打ち出し数に対する払い出し数の割合を算出し管理データとして記憶またはおよび出力する請求項２〜５のいずれか１項に記載の弾球遊技機の管理装置。
【請求項７】
補給される遊技球毎の信号を、その信号に関連する既設の検出具がある場合はそれの既設電気配線からの外部センサによる検出、その信号に関連する既設の検出具がない場合は、その信号に関連する遊技球の動きの非接触センサによる検出、により得て、前記制御手段により、遊技球の排出数に対する補給数の割合を算出し管理データとして記憶またはおよび出力する請求項２〜６のいずれか１項に記載の弾球遊技機の管理装置。
【請求項８】
前記制御手段により、取得した信号を比較し、異常や不正を判定する請求項１〜７のいずれか１項に記載の弾球遊技機の管理装置。
【発明の詳細な説明】
【技術分野】
【０００１】
本発明は、弾球遊技機における入賞などに関する確率や遊技球の取り扱い割合などを算出して釘調整などの管理に供する弾球遊技機の管理装置に関するものである。
【背景技術】
【０００２】
特賞状態を呈するパチンコ台に対する釘調整の適否を容易かつ適正に判断し、対処できるようにすべく、パチンコ台におけるアウト玉数およびセーフ玉数を、各パチンコ台に設定されている理論上の特賞発生率や確率変動状態で特賞発生確率などに基づいて補正し、その補正セーフ玉数を補正アウト玉数により除算した補正出玉率として出力する技術、また、その補正出玉率などのデータを使用した割数の補正を行う技術、さらに、集中管理装置によって、補正アウト玉数、補正出玉率などを含む補正稼動データを、補正前のアウト玉数、出玉率などの稼動データと一緒に出力する技術が既に知られている（例えば、特許文献１参照。）。
【０００３】
また、釘調整や大当たりの確率設定を容易に行えるようにすべく、所定期間での売上目標値と利益目標値とを設定し、全パチンコ機での過去の所定期間での売上、利益に関する実績データと、各パチンコ機の各調整状態での過去の所定期間における出玉データとに基づき、各パチンコ機による売上及び利益を算出し、算出結果から前記売上目標値及び利益目標値が得られる釘調整データおよび大当たりの確率変動データとの少なくとも１つを得る技術が既に知られている（例えば、特許文献２参照。）。
【０００４】
さらに、的確な釘調整のために、パチンコ遊技機からの特賞信号、ボーナスモード信号の入力状態に応じて、パチンコ遊技機が通常状態あるいはボーナス状態のいずれの動作状態かを判定し、アウト玉計数信号、セーフ玉計数信号、スタート信号、スタート入賞信号、ミニ当たり信号、補助スタート入賞信号を利用して、補助役物への入賞数を示す入賞データなどの集計を行うのに、その集計動作を、特賞状態、通常状態及びボーナス状態ごとに区別して行う技術も既に知られている（例えば、特許文献３参照。）。
【０００５】
一方、ゲートを通過すると抽選が行われ、当たりなら変動始動入賞装置を開放し、これに入賞すると大入賞口を始動開口し、大入賞口への入賞球が特別領域を通過すると大当たり状態になるパチンコ機において、変動始動入賞装置に入賞してから大入賞口が開き始めるまでの時間を調整することで、遊技者の技量の差に関係なく、また釘調整の必要なく、大入賞口への入賞確率を調整できるようにした技術も既に知られている（例えば、特許文献４参照。）。
【特許文献１】特開２００３−３４０１１２号公報
【特許文献２】特開平１０−５７５８１号公報
【特許文献３】特開平９−１６８６５７号公報
【特許文献４】特開２００４−８２５２号公報
【発明の開示】
【発明が解決しようとする課題】
【０００６】
ところで、特許文献４は毎分約１００球規則正しく打ち出されることから、変動始動入賞装置への入賞球が検出されて直ちに大入賞装置が開き始め、次の遊技球が来るまでに閉じる時間関係では大入賞口に入賞しない時間関係を解消するのに、風車や障害釘を多数配置して、大入賞口から変動始動入賞装置まで遊技球が落下するまでの時間を長くし、かつばらつきが多くなるようにすることを開示しているが、変動始動入賞装置への入賞確率はそれら風車や障害釘、命釘などで調整している筈であり、遊技球の動きや出玉率を調整するのに遊技領域には通常２００〜３００本の釘が打たれる。もっとも、機種によっては１５０本程度のものも知られている。
【０００７】
いずれにしても、特許文献４に記載の技術では、変動始動入賞装置と大入賞口との入賞関係を、釘や遊技者の技量に関係なく、いわば特許文献１に記載の理論上の設定値に調整できても、前記大入賞口から変動始動入賞装置に達する時間をばらつかせる釘打ちとの関係は特定されないことを始めとして、遊技機全体での出玉率は調整し切れない。
【０００８】
また、特許文献１に記載の技術では、特許文献４に記載のような理論上の設定値に依存するもので、実際の稼動状況を出球率に反映し切れないものである。
【０００９】
特許文献２に記載の技術では、所定期間での売上、利益に関する実績データと、各パチンコ機の各調整状態での過去の所定期間における出玉データとに基づき、釘調整データおよび大当たりの確率変動データとの少なくとも１つが得られるにしても、釘調整データ作成のプログラムで設定された出球率調整ファクターを弾球遊技提供者側で自在に設定することはできない。
【００１０】
特許文献３に記載の技術では、スタート入賞孔への入賞によってルーレットなどの表示役物が動作し、所定の大当たりパターンとなったときに特賞役物が動作し、大当たりパターンが特定のパターンであるときに、当該表示役物の大当たりパターンが再度発生する確率を通常時より高めるボーナスモード状態を設けるのに、釘調整の如何によって、補助矢役物に対する入賞割合が増大して、ボーナスモード期間中における出球率が極端に高くなって、特賞状態でないにもかかわらず遊技客の獲得球が増えるというパチンコホール側にとっては好ましくない事態となるのを、通常状態での補助役物への入賞数とボーナスモード状態における補助役物への入賞数とを区別した釘調整によって容易に対処できるものの、遊技機全体での出玉率は調整し切れない。
【００１１】
以上のように、弾球遊技機は出球率に関係する釘調整などが容易な機能を有してメーカー側から提供されていても、その調整範囲はそれぞれで異なり、各所に打たれる釘が各種入賞部に入賞したり、各種入賞部に入賞せず排出されたりすることに個別に関係し弾球遊技機全体の出球率に影響していることに対応したものはない。
【００１２】
したがって、弾球遊技機全体での出球率を実情に即して釘調整するのは困難であるし、弾球遊技提供者側で、普通入賞率を高めて遊技球の減少を抑え初心者への長時間遊技を保証したり、普通入賞率と中間段階入賞率や大当たりなどの最終段階入賞率との相互関係を調整して、遊技の熟練度に見合った弾球遊技を提供したりする釘調整は容易でない。まして、メーカーが提供する個性的な弾球遊技機を遊技提供者側で改良するのは問題となる。
【００１３】
本発明の目的は、メーカー側が提供する弾球遊技機に付帯して、その弾球遊技機が持たない特定の遊技確率のための釘調整を始め、全体の遊技確率をも実情に即して設定する釘調整も簡単に行えるようにし、併せ、異常や不正にも対応できる弾球遊技機の管理装置を提供することにある。
【課題を解決するための手段】
【００１４】
本発明の弾球遊技機の管理装置は、遊技球を貯留する貯留部、貯留部から供給される遊技球を遊技領域へ１つずつ打ち出す弾球打ち出し部、遊技遊技球の入賞に応じて遊技球を払い出す弾球払い出し部を備え、遊技領域に、遊技球を受け入れ、あるいは通過させる、普通入賞口、補助入賞口、大入賞口などの入賞口、補助入賞口や大入賞口のスタート用入賞口、補助入賞口や大入賞口内に大当たりとなるＶゾーンと大当たりにならない外れゾーンなどに振り分け設けられた振り分け部、の少なくとも３段階以上に関連し合う入賞系列部と、入賞系列部のいずれにも入賞しなかった遊技球を遊技領域外へ排出する排出口と、を設けた弾球遊技機において、遊技球の入賞系列部への少なくとも初期段階および最終段階での入賞信号を、それら信号に関連する既設の検出具があるものについてはそれの既設電気配線からの外部センサによる検出と、それら信号に関連する既設の検出具がないものについては、それら信号に関連する機器の動作の信号の外部センサによる検出や遊技球の動きの非接触センサによる検出と、により得て、弾球遊技機から独立した制御手段により、初期段階の入賞回数と最終段階の入賞回数とから、初期段階の入賞に対する最終段階の入賞確率を算出し管理データとして記憶またはおよび出力することを１つの特徴としている。
【００１５】
このような構成では、３段階以上に関連し合う入賞系列部の各種入賞部は、弾球遊技の進行上予め設定した関連動作を達成するために、それぞれに入賞する遊技球を検出する既設検出具が設けられているものの、弾球遊技機によっては最終段階入賞状態になる確率をその前の中間段階入賞状態の回数に対してしか判定しないものがあるところ、少なくとも３段階以上に関連し合う入賞系列部の各種入賞部における初期段階入賞状態および最終段階入賞状態の既設検出具よる検出信号を、既設検出具からの配線に対する外部センサによって弾球遊技機の事後改良とならずに検出して、それを弾球遊技機から独立した制御手段により利用し、景品球の払い出しのない初期段階入賞に対する最終段階入賞の確率を算出し、それを記憶またはおよび出力して管理に供し、釘調整が関係した最終段階入賞の確率につき、初期段階入賞部への入賞確率を含む広範囲での実情に即した判定と、釘調整による再設定ができる。
【００１６】
本発明の弾球遊技機は、また、遊技球を貯留する貯留部、貯留部から供給される遊技球を遊技領域へ１つずつ打ち出す弾球打ち出し部、遊技遊技球の入賞に応じて遊技球を払い出す弾球払い出し部を備え、遊技領域に、遊技球を受け入れ、あるいは通過させる、普通入賞口、補助入賞口、大入賞口などの入賞口、補助入賞口や大入賞口のスタート用入賞口、補助入賞口や大入賞口内に大当たりとなるＶゾーンと大当たりにならない外れゾーンなどに振り分け設けられた振り分け部、の少なくとも３段階以上に関連し合う入賞系列部と、入賞系列部のいずれにも入賞しなかった遊技球を遊技領域外へ排出する排出口と、を設けた弾球遊技機において、遊技球毎の打ち出し信号と、遊技球の入賞系列部への少なくとも初期段階および最終段階での入賞信号とを、それら信号に関連する既設の検出具があるものについてはそれの既設電気配線からの外部センサによる検出と、それら信号に関連する既設の検出具がないものは、それら信号に関連する機器の動作の信号の外部センサによる検出や遊技球の動きの非接触センサによる検出と、により得て、弾球遊技機から独立した制御手段により、遊技球の打ち出し数と、初期段階の入賞回数および最終段階の入賞回数とから、遊技球の打ち出し数に対する初期段階の入賞またはおよび最終段階の入賞の確率、および初期段階の入賞に対する最終段階の入賞確率を算出し管理データとして記憶またはおよび出力することを別の特徴としている。
【００１７】
このような構成では、１つの特徴の場合に加え、さらに、遊技球の打ち出し数が検出されない弾球遊技機があるところ、遊技球毎の打ち出し信号を、それに関連する機器の動作の信号の電流センサ、クランプセンサ、クリップセンサなどと称される各種の外部センサによる検出や、遊技球の動きの非接触センサによる検出にて、弾球遊技機の事後改良とならずに得て、それを弾球遊技機から独立した制御手段により利用し、遊技球の打ち出し実数に対する初期段階入賞の確率や、最終段階入賞の確率を算出し、それを記憶またはおよび出力して管理に供し、遊技球の打ち出し実数を基に初期段階入賞や最終段階入賞の釘調整が関係した確率につき、実情により即した、よりずれのない判定と、釘調整による再設定とができる。特に打ち出し数は、遊技領域に打ち出された遊技球を検出することにより、戻り球による誤差を回避することができる。
【００１８】
この場合、初期段階と最終段階との間の１つまたは複数の中間段階の入賞の信号を、その信号に関連する既設の検出具がある場合はそれの既設電気配線からの外部センサによる検出、その信号に関連する既設の検出具がない場合は、その信号に関連する機器の動作の信号の外部センサによる検出や遊技球の動きの非接触センサによる検出、により得て、前記制御手段により、遊技球の打ち出し数や初期入賞に対する１つまたは複数の中間段階の入賞確率を算出し管理データとして記憶またはおよび出力する、さらなる構成では、
初期段階と最終段階との間の１つまたは複数の中間段階の入賞の信号を、その信号に関連する既設の検出具からの既設電気配線に対する外部センサや、その信号に関連する機器の動作の信号に対する外部センサにより、弾球遊技機の事後改良にならずに検出して、それを独立の制御手段により利用し、遊技球の打ち出し実数を基に初期段階入賞や最終段階入賞に１つまたは複数の中間段階をも加えた釘調整が関係した遊技機領域全体の各種入賞確率につき、実情により即した、よりずれのない判定と、釘調整による再設定とができる。
【００１９】
上記の場合に加え、補助入賞口や大入賞口にある振り分け部の大当たりである入賞信号に加え、外れ信号を、それらの信号に関連する既設の検出具があるものについてはそれの既設電気配線からの外部センサによる検出、それらの信号に関連する既設の検出具がないものについては、その信号に関連する機器の動作の信号の外部センサによる検出や遊技球の動きの非接触センサによる検出、により得て、前記制御手段により補助入賞口や大入賞口へ入賞した遊技球の総数に対する大当たり確率を算出し管理データとして記憶または出力する、さらなる構成では、
補助入賞口や大入賞口が始動してそれに遊技球が入賞しても、そこに振り分け部があると入賞した遊技球は大当り球と外れ球とに振り分けるのに関連して、大当たりを検出することにより、遊技性と利益性の判定上大きく影響する大当りの、打ち出し球数、初期段階入賞、中間段階入賞に対する確率は判定するものの、ここでの入賞球に対する大当たり球の割合、つまり確率は判定できず、専ら補助入賞口や大入賞口の設計データに委ねるしかないし、補助入賞口や大入賞口が始動したからといってそれ以降の打つ出し遊技球の全てが入賞するとは限らず釘の調整の影響を受けている筈が全く考慮されていない現状のところ、振り分け部での大当たり信号に加え、外れ信号をも、それらの信号に関連する既設の検出具の既設電気配線に対する外部センサや、それらの信号に関連する機器の動作の信号に対する外部センサ、遊技球の動きの非接触センサにより検出して、それを独立の制御手段により利用し、補助入賞口や大入賞口へ入賞した遊技球の総数に対する大当たり確率、外れ球に対する大当たり球の割合などにつき、実情に即した判定と、釘調整などの対応ができる。
【００２０】
上記の場合に加え、遊技球毎の排出の信号を、その信号に関連する既設の検出具がある場合はそれの既設電気配線からの外部センサによる検出、その信号に関連する既設の検出具がない場合は、その信号に関連する遊技球の動きの非接触センサによる検出、により得て、前記制御手段により、遊技球の打ち出し数に対する排出数の割合を算出し管理データとして記憶またはおよび出力する、さらなる構成では、
上記の場合に加え、遊技球の打ち出し数と排出数との関係、割合につき、実情に即した判定と、弾球遊技機全体での釘調整による再設定とができる。
【００２１】
遊技球毎の払い出しの信号を、その信号に関連する既設の検出具がある場合はそれの既設電気配線からの外部センサによる検出、その信号に関連する既設の検出具がない場合は、その信号に関連する機器の動作の信号の外部センサによる検出や遊技球の動きの非接触センサによる検出、により得て、前記制御手段により、遊技球の打ち出し数に対する払い出し数の割合を算出し管理データとして記憶またはおよび出力する、さらなる構成では、
遊技球毎の払い出しの信号を、その信号に関連する既設の検出具の既設電気配線に対する外部センサ、その信号に関連する機器の動作の信号に対する外部センサ、遊技球の動きに対する非接触センサにより、弾球遊技機の事後改良にならないで検出して、これを独立の制御手段にて利用し、遊技球の打ち出し数に対する払い出し数の割合につき、実情に即した判定と、釘調整による再設定とができる。
【００２２】
上記に加え、補給される遊技球毎の信号を、その信号に関連する既設の検出具がある場合はそれの既設電気配線からの外部センサによる検出、その信号に関連する既設の検出具がない場合は、その信号に関連する遊技球の動きの非接触センサによる検出、により得て、前記制御手段により、遊技球の排出数に対する補給数の割合を算出し管理データとして記憶またはおよび出力する、さらなる構成では、
補給される遊技球毎の信号を、その信号に関連する既設の検出器の既設電気配線に対する外部センサ、その信号に関連する遊技球の動きに対する非接触センサにより、弾球遊技機の事後改良にならないで検出して、それを独立の制御手段で利用し、遊技球の排出数に対する補給数の割合につき、実情に即した判定と、釘調整による再設定とができる。
【００２３】
上記の各場合に加え、前記制御手段により、取得した信号を比較し、異常や不正を判定する、さらなる構成では、
上記各場合のような遊技球に対する各種の信号を得て、釘調整のための種々な判定を実情に即して判定し、対応できるようにするのに併せ、遊技球の打ち出しから入賞、排出までの各検出ポイント間での関係が正常でないことにより、出球率異常、釘調整の設定異常、動作入賞部の動作異常や確率異常、補給部の補給異常などに加え、異常の状態によっては不正をも判定することができる。例えば、振り分け部での外れと大当たりとの割合が異常であるとき、それを有した補助入賞口や大入賞口の構造異常のほか、弾球遊技機を揺さぶったり、振動を与えたり、傾斜させたりして、自然な、あるいは機械的に仕組まれた振り分け確率を変動させている不正を判定することができる。
【００２４】
本発明のそれ以上の目的および特徴は、以下の説明および図面の記載によって明らかになる。本発明の特徴は、それ単独で、あるいは可能な限り種々な組合せで複合して採用することができる。
【発明の効果】
【００２５】
本発明の１つの特徴によれば、３段階以上に関連し合う入賞系列部の各種入賞部における初期段階入賞状態および最終段階入賞状態の既設検出具による検出信号を弾球遊技機の事後改良とならずに検出して、釘調整が関係した最終段階入賞の確率につき、初期段階入賞部への入賞確率を含む広範囲での実情に即した判定と、釘調整による再設定ができる。
【００２６】
本発明の別の特徴によれば、１つの特徴に加え、さらに、遊技球の打ち出しの信号を弾球遊技機の事後改良とならずに検出して、遊技球の打ち出し実数を基に初期段階入賞や最終段階入賞の釘調整が関係した確率につき、実情により即した、よりずれのない判定と、釘調整による再設定とができる。
【００２７】
また、初期段階と最終段階との間の１つまたは複数の中間段階の入賞の信号を弾球遊技機の事後改良にならずに検出して、遊技球の打ち出し実数を基に初期段階入賞や最終段階入賞に１つまたは複数の中間段階をも加えた釘調整が関係した遊技機領域全体の各種入賞確率につき、実情により即した、よりずれのない判定と、釘調整による再設定とができる。
【００２８】
また、振り分け部での大当たり信号に加え、外れ信号をも弾球遊技機の事後改良にならずに検出して、補助入賞口や大入賞口へ入賞した遊技球の総数に対する大当たり確率、外れ球に対する大当たり球の割合などにつき、実情に即した判定と、釘調整などの対応ができる。
【００２９】
また、弾球遊技機の事後改良にならずに検出した遊技球の打ち出し数と排出数との関係、割合につき、実情に即した判定と、弾球遊技機全体での釘調整による再設定とができる。
【００３０】
また、遊技球毎の払い出しの信号を弾球遊技機の事後改良にならないで検出して、遊技球の打ち出し数に対する払い出し数の割合につき、実情に即した判定と、釘調整による再設定とができる。
【００３１】
また、補給される遊技球毎の信号を弾球遊技機の事後改良にならないで検出して、遊技球の排出数に対する補給数の割合につき、実情に即した判定と、釘調整による再設定とができる。
【００３２】
また、上記各場合のような遊技球に対する各種の信号を得て、釘調整のための種々な判定を実情に即して判定し、対応できるようにするのに併せ、遊技球に関する各検出ポイント間での関係から各種の異常に加え、不正をも判定することができる。
【発明を実施するための最良の形態】
【００３３】
弾球遊技機の１つの例として、図１に特許文献１で見られるパチンコ機をベースにして示している。このパチンコ機は図１に示すように、遊技盤１に大入賞口として羽物といわれる公知の第２種の電動役物２がレール３に囲まれた遊技領域４のほぼ中央に配されている。電動役物２の真下には電動役物２を始動させる変動始動入賞口５が配置され、その両側に変動始動入賞口５よりも少し高くして普通入賞口６、６が配置されている。左右の各普通入賞口６、６の上方には、電動役物２の底面よりも少し高くした風車７、７と、電動役物２の肩とほぼ同等の高さを有した風車８、８が配置されている。また、遊技領域４には一部のみ示しているが各種の釘９が打たれて、レール３によって案内され遊技領域４に入る遊技球を風車７、８などと共に各所に導き、また、入賞確率を設定するようになっている。通常は約２６球の打ち出しの内１球が変動始動入賞口５に入賞するように設定される。外れ球は全てゲート１１に導き、ゲート１１を経て排出口１２に集合されるようになっている。遊技盤１の下部には遊技球を遊技に供給する貯留部としての球受け皿１３と遊技球の打ち出し器１４が設けられ、遊技盤１の上部には遊技球を補給する補給用貯留部１５が設けられ、払い出し器１６へ補給器１７を通じ遊技球を補給するようになっている。各パチンコ機が回収した遊技球は図示しない循環機構によって管理され、所定のタイミングで必要数が補給用貯留部１５へ自動的に戻される。球受け皿１３には払い出し器１６から払い出される遊技球の払い出し口１８が設けられている。
【００３４】
電動役物２は上部の左右に羽根２ａ、２ａを有し、例えば、特許文献１に記載のものに倣って、変動始動入賞口５に遊技球が入賞することによって始動し、初回は０．３秒の間羽根２ａが実線と破線の間で揺動して入賞口２ｂを開閉し、以降順次開閉時間が長くなり、６回目に初回の開閉時間に戻ることを３０秒間、あるいは所定入賞回数に達するまで繰り返し、電動役物２に遊技球が入賞しやすくする。また、この電動役物２への入賞球は入賞口２ｂの下方にある振り分け部２ｃにおいて、中央のＶゾーン２ｃ１とその左右の外れゾーン２ｃ２、２ｃ２とに、入賞球の自然な動きの違いなどに応じて電動役物２自体において設定された所定の確率で振り分けられる。入賞球がＶゾーン２ｃ１に振り分けられたときだけ大当たりとなり、その時に払い出される景品球数は、入賞球が外れゾーン２ｃ２に振り分けられた場合に払い出される景品球数に対し大きく変化する。また、普通入賞口６に遊技球が入賞したときに払い出される景品球数は、電動役物２の外れゾーン２ｃ２に振り分けられたときに払い出される景品球数よりも少ない。
【００３５】
一方、遊技球がいずれにも入賞せずにゲート１１を通過する都度、乱数などを利用した抽選が行われ、通過時点での乱数値が当たり値であって変動始動入賞口５が開いていないことを条件に変動始動入賞口５を開放してそこへの入賞確率を高める。
【００３６】
このような遊技のために、弾球遊技機個々に設けられる図２に示すような遊技台マイクロコンピュータ２１が用いられ、所定のプログラム１に従って自動制御される。また、各遊技台マイクロコンピュータ２１はホールマイクロコンピュータ２２に接続されてプログラム０に従い集中管理される。遊技台マイクロコンピュータ２１には前記のような遊技制御のために、打ち出し器１４での打ち出しダイヤル１４ａの動作をマイクロスイッチ１４ｂなどで検出した打ち出し信号Ｓ０、変動始動入賞口５での入賞球を近接センサ２３により検出するなどした変動スタート信号Ｓ１、電動役物のＶゾーン２ｃ１、外れゾーン２ｃ２での入賞球を近接センサ２４１、２４２、２４３により検出するなどしたＶ入賞信号Ｓ２１、外れ入賞信号Ｓ２２１、Ｓ２２２、各普通入賞口６、６での入賞球を近接センサ２５１、２５２により検出するなどした普通入賞信号Ｓ３、Ｓ４、ゲート１１への通過球を近接センサ２７により検出するなどしたゲート通過信号Ｓ５、その他の入力が入力される。また、遊技台コンピュータ２１からは、打ち出し信号Ｓ０の入力に応じた打ち出し器１４に対する打ち出し駆動信号Ｄ０、変動スタート信号Ｓ１の入力に応じた電動役物２への変動役物駆動信号Ｄ１、変動役物２でのＶ入賞信号Ｓ２１、外れ入賞信号Ｓ２２の入力に応じた払い出し器１６に対するＶ入賞払い出し駆動信号Ｄ２１、外れ入賞払い出し駆動信号Ｄ２２、普通入賞信号Ｓ３、Ｓ４の入力に応じた払い出し器１６に対する普通入賞払い出し駆動信号Ｄ３、各種入力や遊技制御に応じた各種表示機器に対する駆動信号Ｄ４、その他の出力が出力され、ゲート通過信号Ｓ５の入力によってはプログラム１に従った抽選と、当たり結果に応じた変動始動入賞口５に対する開放駆動信号Ｄ５が出力される。
【００３７】
ここで、特許文献１はゲートの抽選の当たり確率に遊技者の技量の差は反映されず公平であるとしている。また、変動始動入賞口５に入賞してから電動役物２を始動させるまでの時間を可変にすることで、電動役物２への入賞確率を均一化することができ、遊技者の技量の差を生じさせないとしている。
【００３８】
しかし、開閉中の電動役物２、変動始動入賞口５、普通入賞口６、６への遊技球の入賞確率は依然として釘９の調整状態に依存し、遊技者の技量の影響を受けることに変わりはなく、それらへの入賞確率によってゲート１１に対する通過割合も変動する。そこで、営業利益と遊技者の利益や遊技性の面で、遊技提供者側が釘９の調整によって設定するにも、必要な入賞確率が管理されていないために対応できなかったり、補助役物や役物に設定されている理論上の確率に依存していて実情に合致しなかったりする。まして、弾球遊技機全体での確率を実情に合わせて正確に判定し、釘９の調整を的確に設定するのは困難である。
【００３９】
そこで、本実施の形態は、上記変動始動入賞口５、電動役物２の振り分け部２ｃでのＶゾーン２ｃ１、外れゾーン２ｃ２のように、少なくとも３段階以上に関連し合う入賞系列部Ａを持った図１に示すような弾球遊技機において、遊技球の入賞系列部Ａへの少なくとも変動始動入賞口５である初期段階および電動役物２の振り分け部２ｃにおけるＶゾーン２ｃ１である最終段階での各変動始動入賞信号Ｓ１およびＶ入賞信号Ｓ２１によって、弾球遊技機から独立した制御手段としての図２に示す補助管理マイクロコンピュータ３１で利用し、プログラム２に従って、初期段階の入賞回数と最終段階の入賞回数とから、初期段階の入賞に対する最終段階の入賞確率を算出し管理データとして記憶またはおよび出力し、確率の管理に供する。それには、それら信号に関連する既設の近接センサ２３、２４１があるので、それの既設電気配線からの、電流センサ、クランプセンサ、クリップセンサなどと称される外部センサ４１、４２により検出して利用できるし、それら信号に関連する既設の検出具がないものについては、それら信号に関連する機器の動作の信号の外部センサによる検出や遊技球の動きの非接触センサによる検出により得て利用することができる。これにより、３段階以上に関連し合う入賞系列部Ａの各種入賞部である変動始動入賞口５、Ｖゾーン２ｃ１などは、弾球遊技の進行上予め設定した関連動作を達成するために、それぞれに入賞する遊技球を検出する既設検出具である前記近接センサ２３、２４１などが設けられているものの、例えば、弾球遊技機によっては最終段階入賞状態になる確率をその前の中間段階入賞状態の回数に対してしか判定しないものがあるところ、少なくとも３段階以上に関連し合う入賞系列部Ａの各種入賞部における変動始動入賞口５での初期段階入賞状態およびＶゾーン２ｃ１での最終段階入賞状態の既設近接センサ２３、２４１などによる検出信号Ｓ１、Ｓ２１を、近接センサ２３、２４１などからの配線に対する外部センサ４１、４２などによって弾球遊技機の事後改良とならずに検出して、それを補助管理マイクロコンピュータ３１により利用し、景品球の払い出しのない変動始動入賞口５での初期段階入賞に対するＶゾーン２ｃ１での最終段階入賞の確率を算出し、それを記憶またはおよび出力して管理に供し、釘調整が関係した最終段階入賞の確率につき、初期段階入賞部への入賞確率を含む広範囲での実情に即した判定と、釘調整による再設定ができる。
【００４０】
以上のような弾球遊技機の事後改良とならない信号の検出、取り扱い方式は、より多くの信号を取得してのより多くの確率を判定するのに有効である。
【００４１】
このような観点から、本実施の形態では、前記入賞系列部Ａにおける初期段階および最終段階の入賞信号に加え、さらに、遊技球毎の打ち出し信号Ｓ１０につき、関連する既設の検出具がある場合はそれの既設電気配線から外部センサにより、あるいは、その信号に関連する既設の検出具がない場合は、その信号Ｓ１０に関連する打ち出し器１４や打ち出しダイヤル１４ａなどの機器の動作の信号の外部センサにより、あるいは、図１に示すように遊戯球が打ち出される動きを付設の近接センサ２０により、検出し、補助管理マイクロコンピュータ３１により、遊技球の打ち出し数と、初期段階の入賞回数および最終段階の入賞回数とから、遊技球の打ち出し数に対する初期段階の入賞またはおよび最終段階の入賞の確率、および初期段階の入賞に対する最終段階の入賞確率を算出し管理データとして記憶またはおよび出力し、管理に供するようにしている。
【００４２】
これにより、さらに、遊技球の打ち出し数が検出されない弾球遊技機があるところ、遊技球毎の打ち出し信号Ｓ１０を弾球遊技機の事後改良とならずに得て、補助管理マイクロコンピュータ３１に入力し利用することにより、遊技球の打ち出し実数に対する初期段階入賞の確率や、最終段階入賞の確率を算出し、それを記憶またはおよび出力して管理に供し、遊技球の打ち出し実数を基に初期段階入賞や最終段階入賞の釘調整が関係した確率につき、実情により即した、よりずれのない判定と、釘調整による再設定とができる。特に打ち出し数は、遊技領域に打ち出された遊技球を検出することにより、戻り球による誤差を回避することができる。特に、遊戯球毎の打ち出し信号Ｓ１０を打ち出された遊技球個々を近接センサなどで検出することにより、その実数を取り扱った確率計算ができるし、図１に示すように遊技領域４まで打ち出された遊戯球を検出することで、打ち出し動作から遊技領域に達するまでに生じる打ち出し上のトラブルが確率計算に影響するのを防止することができる。
【００４３】
なお、初期段階と最終段階との間の電動役物２の外れゾーン２ｃ２への入賞など１つまたは複数の中間段階の入賞の信号Ｓ２２１、２２２をも、他の信号同様に、近接センサ２４２、２４３からの配線に対する外部センサ４３、４４により検出するなどして、図２に示すように補助管理マイクロコンピュータ３１に入力し利用することで、遊技球の打ち出し数や初期入賞に対する１つまたは複数の中間段階の入賞確率を算出し管理データとして記憶またはおよび出力することができる。これにより、遊技球の打ち出し実数を基に初期段階入賞や最終段階入賞に１つまたは複数の中間段階をも加えた釘調整が関係した遊技機領域全体の各種入賞確率につき、実情により即した、よりずれのない判定と、釘調整による再設定とができる。また、普通入賞信号Ｓ３、Ｓ４をも近接センサ２５１、２５２の配線から外部センサ４５、４６にて検出するなどして同様に取り扱うことができる。
【００４４】
さらに、図２に示す例では、遊技球の排出の信号を、それと等価なゲート１１での通過信号Ｓ５として、近接センサ２７からの配線に対する外部センサ４７にて検出するなどして、補助管理マイクロコンピュータ３１に入力して利用し、遊技球の打ち出し数に対する排出数の割合を算出し管理データとして記憶またはおよび出力し、管理に供するようにしている。これにより、遊技球の打ち出し数と排出数との関係、割合につき、実情に即した判定と、弾球遊技機全体での釘調整による再設定とができる。
【００４５】
また、遊技球毎の払い出しの信号Ｓ１１を、付設の近接センサ４８により検出するなどして補助管理マイクロコンピュータ３１に入力し利用することにより、遊技球の打ち出し数に対する払い出し数の割合を算出し管理データとして記憶またはおよび出力し、管理に供するようにしてある。これにより、遊技球毎の払い出しの信号Ｓ１１を弾球遊技機の事後改良にならないで検出して、補助管理マイクロコンピュータ３１にて利用し、遊技球の打ち出し数に対する払い出し数の割合につき、実情に即した判定と、釘調整による再設定とができる。
【００４６】
また、補給される遊技球の信号Ｓ１２を、付設した近接センサなどの非接触センサ４９により弾球遊技機の事後改良にならないで検出して、それを補助管理マイクロコンピュータ３１に入力して利用し、遊技球の排出数に対する補給数の割合につき、実情に即した判定と、釘調整による再設定とができるようにもしている。
【００４７】
最後に、補助管理マイクロコンピュータ３１は、上記のように取得した各種入力信号Ｓ１・・Ｓ１２を比較し、異常や不正を判定するようにしている。これにより、遊技球に対する各種の信号Ｓ１・・Ｓ１２を得て、釘調整のための種々な判定を実情に即して判定し、対応できるようにするのに併せ、遊技球の打ち出しから入賞、排出までの各検出ポイント間での関係が正常でないことにより、出球率異常、釘調整の設定異常、動作入賞部の動作異常や確率異常、補給部の補給異常などに加え、異常の状態によっては不正をも判定することができる。
【００４８】
例えば、振り分け部２ｃでの外れゾーン２ｃ２への入賞とＶゾーン２ｃ１への大当たり入賞との割合が異常であるとき、それを有した電動役物２の構造異常のほか、弾球遊技機を揺さぶったり、振動を与えたり、傾斜させたりして、自然な、あるいは機械的に仕組まれた振り分け確率を変動させている不正を判定することができる。また、各段階での遊技球取り扱いでのつじつまの合わない遊技球の増大なども何らかの不正と判定することができる。以上や不正の判定結果は記録またはおよび出力して管理に供することができ、この場合それを表示したり、警報を発することもできる。また、必要および可能なら、ホールマイクロコンピュータ２２と通信して管理に供することもできる。なお、図２に示す駆動信号Ｄ０、Ｄ１、Ｄ２１、Ｄ２２、Ｄ３、Ｄ４、Ｄ５に対する外部センサ５１、５２、５３、５４、５５、５６をも弾球の各遊戯段階、遊技状態を示す信号して利用し、確率判定に用いることができるし、それら駆動信号Ｄ０、Ｄ１、Ｄ２１、Ｄ２２、Ｄ３、Ｄ４、Ｄ５によって駆動される各種の機器２、５、１４、１６の動作信号も同様に利用できる。
【００４９】
図３に示す例は既に知られた別のパチンコ遊技機で、ゲート１０１に入賞すると、デジタルルーレット１０２が始動し、特定図柄である数字が揃うとミニ当たりとなって電動チューリップ１０３が例えば５秒開き、振り分け部１０４ａを有した第３種の抽選役物１０４に入賞しやすくし、入賞球が大当たり孔１０４ｃ１か通常孔１０４ｃ２かに振り分けられ、大当たり孔１０４ｃ１に入賞すると大当たりの権利が発生し、通常孔１０４ｃ２に入賞した場合は通常当たりとなる。大当たりでは、サブデジタル１０７に確変当たりであることを表示し、次回の大当たりまで通常通りの確率状態となる。通常当たりでは、サブデジタル１０７に通常当りの表示をする。一方、遊技者が右当たりに打ち出し方を転じることで、第３種始動口１０５に入賞すると大入賞口１０６が開放し、所定球数入賞するか所定時間経過すると大入賞口１０６が閉じる。
【００５０】
図４に示す例は既にしられた他のパチンコ機で、大入賞口２０１に入賞するには、始動口２０２、電動チューリップ２０３〜２０５のそれぞれに入賞し、判定図柄変動装置２０６においてスタート２０６ａに遊技球が入賞し特定図柄が変動を開始してそれが揃うことを条件としている。
【００５１】
このように、パチンコ機で代表される弾球遊技機は、遊技進行や入賞の種類、入賞系列に違いを持って提供されているし、今後も提供されるが、そのような違いにかかわらず、本発明は同様に適用でき、遊技球の遊技の進行に係わる各段階に達した数や状態に関する信号を、付設した外部センサや近接センサによって検出して弾球遊技機から独立した補助管理マイクロコンピュータにより取り扱い、各種確率や異常、不正の判定に利用し、管理に供することができる。
【産業上の利用可能性】
【００５２】
本発明は、弾球遊技機の遊技提供者が必要とする釘調整のための各種の確率を、弾球遊技機の事後改良とならないで実情に即して判定できる。
【図面の簡単な説明】
【００５３】
【図１】本実施の形態に係る管理装置が適用される弾球遊技機の１つの例を示す概略正面図である。
【図２】図１の弾球遊技機の制御系と本実施の形態に係る管理装置の制御系との関係を示すブロック図である。
【図３】本実施の形態に係る管理装置が適用される弾球遊技機の別の例を示す概略正面図である。
【図４】本実施の形態に係る管理装置が適用される弾球遊技機の他の例を示す概略正面図である。
【符号の説明】
【００５４】
１  遊技盤
２  電動役物
２ａ  羽根
２ｂ  入賞口
２ｃ  振り分け部
２ｃ１  Ｖゾーン
２ｃ２  外れゾーン
３  レール
４  遊技領域
５  変動始動入賞口
６  普通入賞口
９  釘
１１  ゲート
１２  排出口
１３  球受け皿
１４  打ち出し器
１４ａ  打ち出しダイヤル
１４ｂ  マイクロスイッチ
１５  補給用貯留部
１６  払い出し器
１７  補給器
１８  払い出し口
２０、２３、２４１、２４２、２５１、２５２、２７、４９  近接センサ
２１  遊技台マイクロコンピュータ
２２  ホールマイクロコンピュータ
３１  補助管理マイクロコンピュータ
４１、４２、４３、４４、４５、４６、４７、４８  外部センサ
５１、５２、５３、５４、５５、５６  外部センサ
２ｃ、１０４ａ  振り分け部
Ａ  入賞系列部
【図１】
2007151659.tif 000003
【図２】
2007151659.tif 000004
【図３】
2007151659.tif 000005
【図４】
2007151659.tif 000006